(57)【要約】【課題】その内部に設けられたアクチュエータ等の電源として燃料電池を内蔵し、この燃料電池への酸素の供給を確保したレンズ鏡筒を提供する。【解決手段】レンズ鏡筒２００を、被駆動部材Ｌと、被駆動部材Ｌを駆動するアクチュエータ部２３０と、アクチュエータ部２３０に供給される電力を発生する燃料電池部と、アクチュエータ部２３０によって被駆動部材Ｌと連動して駆動され、空気を燃料電池部２５０に供給する空気供給部２７０とを備える構成とする。【選択図】図１
2006098703.tif 000002
【特許請求の範囲】
【請求項１】
被駆動部材と、
前記被駆動部材を駆動するアクチュエータ部と、
前記アクチュエータ部に供給される電力を発生する燃料電池部と、
前記アクチュエータ部によって前記被駆動部材と連動して駆動され、空気を前記燃料電池部に供給する空気供給部と
を備えるレンズ鏡筒。
【請求項２】
請求項１に記載のレンズ鏡筒において、
前記被駆動部材は、その移動によって撮影用光学系の被写体距離を変更するフォーカシング用レンズ群であり、
前記アクチュエータ部は、前記レンズ鏡筒が装着されるカメラボディからの入力信号に基づいて前記フォーカシングレンズ群を駆動する振動アクチュエータであること
を特徴とするレンズ鏡筒。
【請求項３】
請求項２に記載のレンズ鏡筒において、
前記アクチュエータ部は、その内径側に前記撮影用光学系が配置される円環型の振動アクチュエータであること
を特徴とするレンズ鏡筒。
【請求項４】
請求項２又は請求項３に記載のレンズ鏡筒において、
前記空気供給部は、前記アクチュエータ部の出力部に接続された動翼を有する遠心式又は軸流式の圧縮部を備えること
を特徴とするレンズ鏡筒。
【請求項５】
請求項３に記載のレンズ鏡筒において、
前記空気供給部は、前記撮影用光学系の外径側に設けられ、この撮影用光学系の光軸と略同心の円弧状に形成されたシリンダ部と、前記円環型の振動アクチュエータの回転に追従して、前記シリンダ部に対して相対移動するピストン部とを含む容積式の圧縮部を備えること
を特徴とするレンズ鏡筒。
【請求項６】
請求項１から請求項５までのいずれか１項に記載のレンズ鏡筒において、
前記空気供給部は、前記アクチュエータ部の回転方向に応じていずれか一方から空気を吐出する少なくとも１対の吐出部と、前記１対の吐出部にそれぞれ設けられた逆流防止部とを備えること
を特徴とするレンズ鏡筒。
【請求項７】
請求項１から請求項６までのいずれか１項に記載のレンズ鏡筒において、
前記アクチュエータ部の停止時に前記空気供給部から前記燃料電池部への空気の供給を遮断する遮断部を備えること
を特徴とするレンズ鏡筒。
【請求項８】
請求項２から請求項７までのいずれか１項に記載のレンズ鏡筒において、
前記空気供給部と前記燃料電池部との間の空気供給路の少なくとも一部が、前記振動アクチュエータと接していること
を特徴とするレンズ鏡筒。
【発明の詳細な説明】
【技術分野】
【０００１】
本発明は、燃料電池を備えたレンズ鏡筒に関するものである。
【背景技術】
【０００２】
レンズ交換式カメラに用いられる交換用レンズ鏡筒は、その内部にオートフォーカス用のアクチュエータや、ブレ補正光学系をシフト方向に駆動して像ブレを低減するブレ補正装置を備えているものがある。
従来、このようなレンズ鏡筒内のアクチュエータを駆動する電源は、カメラボディ側に設けられた電池から供給することが一般的であった。
【０００３】
しかし、開放絞り値が大きいレンズや、焦点距離の大きい望遠レンズ等のように光学系のサイズが大きいレンズ鏡筒では、オートフォーカス用等のアクチュエータにも大きな出力が要求され、消費電力が大きくなるが、カメラボディ側から供給可能な電力量は、カメラボディの設計仕様によって制約を受けるから、レンズ鏡筒を設計するうえでネックとなっていた。
【０００４】
これに対し、レンズ鏡筒側にもカメラボディ側と独立した電源を設けることが提案されている。例えば、レンズ鏡筒に、リチウム電池、アルカリマンガン電池等の１次電池や、リチウムイオン電池、ニッケル水素電池等の２次電池を内蔵することが提案されている。
また、近年、燃料電池の小型化が進んだことから、燃料電池をカメラの電源として用いることが提案されている。（例えば、特許文献１を参照。）
【０００５】
燃料電池は、電解質を介して配置された１対の電極に、メタノール等の燃料と、酸素とをそれぞれ供給し、化学変化を利用して電力を得るものである。
燃料電池をレンズ鏡筒の電源として内蔵する場合、必要な電力を確保するため、発電に用いられる酸素を、燃料電池に十分に供給することが重要である。
【特許文献１】特開２００４−８７１５９号公報
【発明の開示】
【発明が解決しようとする課題】
【０００６】
本発明の課題は、燃料電池への酸素の供給を確保したレンズ鏡筒を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
【０００８】
請求項１の発明は、被駆動部材（Ｌ）と、前記被駆動部材（Ｌ）を駆動するアクチュエータ部（２３０，３３０）と、前記アクチュエータ部（２３０，３３０）に供給される電力を発生する燃料電池部（２５０）と、前記アクチュエータ部（２３０，３３０）によって前記被駆動部材（Ｌ）と連動して駆動され、空気を前記燃料電池部（２５０）に供給する空気供給部（２７０，３７０）とを備えるレンズ鏡筒（２００）である。
【０００９】
請求項２の発明は、請求項１に記載のレンズ鏡筒（２００）において、前記被駆動部材（Ｌ）は、その移動によって撮影用光学系の被写体距離を変更するフォーカシング用レンズ群であり、前記アクチュエータ部（２３０，３３０）は、前記レンズ鏡筒（２００）が装着されるカメラボディ（１００）からの入力信号に基づいて前記フォーカシングレンズ群（Ｌ）を駆動する振動アクチュエータであることを特徴とするレンズ鏡筒（２００）である。
請求項３の発明は、請求項２に記載のレンズ鏡筒（２００）において、前記アクチュエータ部（３３０）は、その内径側に前記撮影用光学系が配置される円環型の振動アクチュエータであることを特徴とするレンズ鏡筒（２００）である。
請求項４の発明は、請求項２又は請求項３に記載のレンズ鏡筒（２００）において、前記空気供給部（２７０）は、前記アクチュエータ部（２３０）の出力部（２３２）に接続された動翼（２７１）を有する遠心式又は軸流式の圧縮部を備えることを特徴とするレンズ鏡筒（２００）である。
請求項５の発明は、請求項３に記載のレンズ鏡筒（２００）において、前記空気供給部（３７０）は、前記撮影用光学系の外径側に設けられ、この撮影用光学系の光軸（Ｉ）と略同心の円弧状に形成されたシリンダ部（３７１）と、前記円環型の振動アクチュエータ（３３０）の回転に追従して、前記シリンダ部（３７１）に対して相対移動するピストン部（３７２）とを含む容積式の圧縮部を備えることを特徴とするレンズ鏡筒（２００）である。
請求項６の発明は、請求項１から請求項５までのいずれか１項に記載のレンズ鏡筒（２００）において、前記空気供給部（２７０）は、前記アクチュエータ部（２３０）の回転方向に応じていずれか一方から空気を吐出する少なくとも１対の吐出部（２７５，２７６）と、前記１対の吐出部（２７５，２７６）にそれぞれ設けられた逆流防止部（２８３，２８４）とを備えることを特徴とするレンズ鏡筒（２００）である。
請求項７の発明は、請求項１から請求項６までのいずれか１項に記載のレンズ鏡筒（２００）において、前記アクチュエータ部（２３０）の停止時に前記空気供給部（２７０）から前記燃料電池部（２５０）への空気の供給を遮断する遮断部（２８３，２８４）を備えることを特徴とするレンズ鏡筒（２００）である。
請求項８の発明は、請求項２から請求項７までのいずれか１項に記載のレンズ鏡筒（２００）において、前記空気供給部（２７０）と前記燃料電池部（２３０）との間の空気供給路の少なくとも一部（２７２）が、前記振動アクチュエータ（２３０）と接していることを特徴とするレンズ鏡筒（２００）である。
【発明の効果】
【００１０】
本発明によれば、以下のような効果を奏することができる。
（１）被駆動部材を駆動するアクチュエータ部の動作時に、被駆動部材と連動して空気供給部が駆動され、燃料電池部に酸素を含む空気が供給されるようにしたから、燃料電池部への酸素の供給が確保される。
（２）フォーカシングレンズ群を駆動する振動アクチュエータによって、空気供給部が駆動されるようにしたから、フォーカシングをする際、同時に燃料電池部に空気が供給され、燃料電池部への酸素の供給が確保される。
（３）空気供給部は、アクチュエータ部の回転方向に応じて、いずれか一方から空気を吐出する吐出部と、各吐出部にそれぞれ設けられた逆流防止部とを備えているから、被写体距離を長くする方向、短くする方向いずれのフォーカス操作においても空気が吐出され、燃料電池部への酸素の供給が確保される。
（４）空気供給部から燃料電池部への空気の供給を遮断する遮断部を備えているから、アクチュエータ部の不使用時に、燃料電池部が余剰な電力を発生することを防止できる。
（５）空気供給部と燃料電池部との間の空気供給路の少なくとも一部が、振動アクチュエータと接するようにしたから、空気供給路内の空気流によって振動アクチュエータを冷却し、その過熱による性能低下を防止することができる。
【発明を実施するための最良の形態】
【００１１】
本発明は、フォーカシングレンズ群を駆動する超音波モータによって、フォーカシングレンズ群と連動して駆動され、この超音波モータに供給される電力を発生する燃料電池部に空気を供給する送風部を設けることによって上述した課題を解決する。
【実施例１】
【００１２】
以下、図面等を参照して、本発明の実施例をあげて、さらに詳しく説明する。
図１は、本発明を適用したレンズ鏡筒の実施例１を含むカメラシステムの構成を示す図である。
カメラシステム１は、ボディ１００と、レンズ鏡筒２００とを備えている。
ボディ１００は、例えば、レンズ交換式のデジタルカメラであって、撮像素子１１０と、カメラＣＰＵ１２０とを備えている。
撮像素子１１０は、例えばＣＣＤ等を有し、レンズ鏡筒２００が結像する被写体像を取得するものである。
カメラＣＰＵ１２０は、カメラシステム１の各機能を統括的に制御するものであり、後述するレンズ鏡筒２００側のレンズＣＰＵと通信可能となっている。
【００１３】
レンズ鏡筒２００は、フォーカシングレンズ群Ｌと、レンズＣＰＵ２１０と、ドライバ部２２０と、超音波モータ（ＳＷＭ）２３０と、燃料貯蔵部２４０と、燃料電池部２５０と、バッテリ部２６０と、送風部２７０と、逆流防止弁２８１〜２８４を備えている。
フォーカシングレンズ群Ｌは、レンズ鏡筒２００の図示しない撮影用光学系の一部に含まれるものであり、その光軸方向に沿って移動可能に支持され、この移動によって撮影用光学系の被写体距離を変更するものである。
レンズＣＰＵ２１０は、カメラＣＰＵ１２０からの信号に基づいて、ドライバ部２２０にフォーカシングレンズ群Ｌの駆動に関する制御信号を伝達するものである。
ドライバ部２２０は、バッテリ部２６０から電力を供給され、レンズＣＰＵ２１０から入力された制御信号に基づいて、ＳＷＭ２３０に駆動電流を供給するものである。
ＳＷＭ２３０は、フォーカシングレンズ群Ｌを駆動する振動アクチュエータであって、その振動の周波数帯域として、超音波域を用いるものである。なお、このＳＷＭ２３０の構成については、後に詳しく説明する。
【００１４】
燃料貯蔵部２４０は、例えばメタノール等の燃料電池部２５０の燃料を貯蔵するものである。
燃料電池部２５０は、電解質を介して設けられた１対の電極を備え、その一方の電極（燃料極）に上述した燃料を供給し、他の電極（酸素極）に、送風部２７０から供給され、酸素を含有する空気を供給することによって、化学変化によって電力を発生するものである。
バッテリ部２６０は、燃料電池部２５０が発電した電力を一時的に蓄積し、ドライバ部２２０の要求する電力を逐次放出するものである。
【００１５】
送風部２７０は、ＳＷＭ２３０によってフォーカシングレンズ群Ｌと連動して駆動され、燃料電池部２５０に、その酸素極で消費される空気を供給する空気供給部である。
図２は、図１のカメラシステムのＳＷＭ２３０及び送風部２７０の構成を示す図である。
実施例１において、ＳＷＭ２３０は、送風部２７０の一部に収容されている。
【００１６】
ＳＷＭ２３０は、ステータ２３１と、ロータ２３２と、出力軸２３３とを備えている。
ステータ２３１は、例えばステンレス合金等の共振先鋭度が大きい材料によって形成された環状の部材であり、そのロータ２３２と対向する側の端面には、周方向に沿って周期性をもたせて形成された放射状の溝を有する櫛歯２３１ａが形成され、他の端面には、振動を励起するための図示しない圧電体が接合されている。この圧電体は、ステータ２３１の周方向に沿って進行する進行波を励振するものである。
ロータ２３２は、ステータ２３１の櫛歯が形成された側の端面に当接して設けられ、例えば軽合金によって形成された円盤状の部材であり、その外周縁部には、ステータ２３１の端面によって駆動される駆動面が形成されている。また、ロータ２３２は、その回転軸方向に沿ってこのロータ２３２を貫通する複数の開孔２３２ａが形成されている。
出力軸２３３は、その一端部をロータ２３２の中心部に接続され、ステータ２３１の内径側を通って配置されている。出力軸２３３の他端部は、フォーカシングレンズ群Ｌを駆動するためのギアボックスＬｇに接続されている。
【００１７】
送風部２７０は、ファン２７１と、ケーシング２７２と、管路２７３，２７４，２７５，２７６，２７７とを有し、軸流式の圧縮機として形成されている。
ファン２７１は、ＳＷＭ２３０のロータ２３２の出力軸２３３とは反対側の端部に設けられた動翼であり、ロータ２３２の回転に追従して回転し、その回転軸方向に沿って流れる気流を形成するものである。
ケーシング２７２は、ＳＷＭ２３０及びファン２７１を収容する円筒状の容器であって、ファン２７１側の端部には、空間部２７２ａが設けられている。また、ＳＷＭ２３０側の端部は、ギアボックスＬｇと接続されている。
【００１８】
管路２７３は、一端部を大気に開放され、他端部をケーシング２７２の外周面の空間部２７２ａに対向する領域に接続されている。また、管路２７３は、開放側からケーシング２７２側にのみ気流を流す逆流防止弁２８１を備えている。
管路２７４は、一端部を大気に開放され、他端部をケーシング２７２の外周面のステータ２３１と対向する領域に接続されている。また、管路２７４は、開放側からケーシング２７２側にのみ気流を流す逆流防止弁２８２を備えている。
【００１９】
管路２７５は、一端部をケーシング２７２の外周面の空間部２７２ａに対向する領域に接続され、他端部を管路２７７に接続されている。また、管路２７５は、ケーシング２７２側から管路２７７側にのみ気流を流す逆流防止弁２８３を備えている。
管路２７６は、一端部をケーシング２７２の外周面のステータ２３１と対向する領域に接続され、他端部を管路２７７に接続されている。また、管路２７６は、ケーシング２７２側から管路２７７側にのみ気流を流す逆流防止弁２８４を備えている。
管路２７７は、一端部を管路２７５，２７６に接続され、他端部を燃料電池部２５０に接続されている。
なお、上述した各逆流防止弁２８１，２８２，２８３，２８４は、気流がないときには、それぞれ対応する各管路２７３，２７４，２７５，２７６を閉鎖するものである。
【００２０】
次に、上述したカメラシステム１の動作について説明する。
ユーザが、ボディ１００の図示しないレリーズスイッチを半押しすることによって、カメラＣＰＵ１２０は、例えば公知のＴＴＬ位相差検出法を用いたオートフォーカス制御を開始し、レンズＣＰＵ２１０に対して、フォーカシングレンズ群Ｌの駆動に関する信号を伝達する。
レンズＣＰＵ２１０は、カメラＣＰＵ１２０からの信号に応じて、ドライバ部２２０に制御信号を伝達し、ドライバ部２２０は、この制御信号に応じて、バッテリ部２６０から電力を得て、ＳＷＭ２３０に駆動電流を供給する。
【００２１】
以下、フォーカシングレンズ群Ｌを、レンズ鏡筒２００の被写体距離が小さくなる方向に駆動する際のＳＷＭ２３０の回転を「正転」、被写体距離が大きくなる方向に駆動する際のＳＷＭ２３０の回転を「逆転」と称して説明する。
ＳＷＭ２３０がドライバ部２２０から駆動電流を供給されて回転すると、そのロータ２３２に接続されたファン２７１も追従して回転し、これによって、ケーシング２７２内に圧力差が発生する。
【００２２】
ＳＷＭ２３０の正転時には、ファン２７１の回転によって、ケーシング２７２内の空気が、ＳＷＭ２３０側から、空間部２７２ａ側に圧送され、空間部２７２ａ側の圧力が高くなり、ＳＷＭ２３０側の圧力は、大気圧に対して負圧となる。
この場合、外部の空気が管路２７４を介してケーシング２７２内に流入し、その一部は、ステータ２３１及びロータ２３２の外周面とケーシング２７２の内周面との隙間を通って空間部２７２ａ内に流入し、残部は、ステータ２３１の櫛歯２３１ａの溝部分を通ってステータ２３１の内径側に流入し、ロータ２３２の通孔２３２ａを通って空間部２７２ａ内に流入する。
そして、空間部２７２ａ内の空気は、管路２７５、２７７を介して燃料電池部２５０に供給される。
【００２３】
一方、ＳＷＭ２３０の逆転時には、ファン２７１の回転によって、ケーシング２７２内の空気が、空間部２７２ａ側から、ＳＷＭ２３０側に圧送され、ＳＷＭ２３０側の圧力が高くなり、空間部２７２ａ側の圧力は、大気圧に対して負圧となる。
この場合、外部の空気が管路２７３を介してケーシング２７２内に流入し、その一部は、ステータ２３１及びロータ２３２の外周面とケーシング２７２の内周面との隙間を通ってＳＷＭ２３０の周辺部に流入し、残部は、ロータ２３２の通孔２３２ａを通ってステータ２３１の内径側に流入し、ステータ２３１の櫛歯２３１ａの溝部分を通ってＳＷＭ２３０の周辺部に流入する。
そして、ＳＷＭ２３０の周辺部の空気は、管路２７６，２７７と通って、燃料電池部２５０に供給される。
【００２４】
以上のように、実施例１によれば、フォーカシングレンズ群Ｌを駆動するＳＷＭ２３０の動作時に、連動して送風部２７０が駆動され、燃料電池部２５０に酸素を含む空気が供給されるようにしたから、燃料電池部２５０への酸素の供給が確保される。
また、送風部２７０は、ＳＷＭ２３０の正転、逆転に関わらず燃料電池部２５０に空気を供給するから、燃料電池部２５０への酸素の供給が確保される。
さらに、送風部２７０の停止時には、送風部２７０と燃料電池部２５０との間の管路２７５，２７６がそれぞれ閉鎖されるから、ＳＷＭ２３０を停止しているにもかかわらず燃料電池部２５０に空気が供給され続け、余剰な電力が発電されることを防止できる。
また、送風部２７０の運転時に、空気流がＳＷＭ２３０の外周面部及び内径側を流れるようにしたから、ＳＷＭ２３０を冷却してその過熱による性能低下を防止することができる。
【実施例２】
【００２５】
次に、本発明を適用したレンズ鏡筒の実施例２について説明する。
上述した実施例１のレンズ鏡筒と同じ部分については、同じ符号を付して説明を省略し、主に相違点について説明する。
実施例２は、実施例１のレンズ鏡筒２００のＳＷＭ２３０及び送風部２７０に換えて、それぞれ以下説明するＳＷＭ３３０及び送風部３７０を設けたものである。
【００２６】
図３は、実施例２のレンズ鏡筒のＳＷＭ３３０及び送風部３７０の断面図である。図４は、送風部３７０のVI−VI部矢視図である。
ＳＷＭ３３０は、ステータ３３１と、ロータ３３２と、ステータ座３３３と、加圧部材３３４と、ロータホルダ３３５とを備えている。
このＳＷＭ３３０は、レンズ鏡筒２００の鏡胴部の内径側に設けられ、その内径側に撮影用光学系が配置される固定筒２０１の外周面部に装着されている。
【００２７】
ステータ３３１は、その内径側に固定筒２０１が挿入される環状の部材であって、その一方の端面に櫛歯３３１ａが形成され、他方の端面には圧電体３３１ｂが接合されている。
また、ステータ３３１は、固定筒２０１の外周面から突き出した固定ピン２０１ａによって、固定筒２０１に対するその軸周りの回転が防止されている。
ロータ３３２は、ステータ３３１の櫛歯３３１a側の端面に接する環状の部材である。
ステータ座３３３は、固定筒２０１の外周面からつば上に突き出した円環板状の部材であり、固定筒２０１の外周面にその周方向に沿って形成されたネジ部に対して、ネジ結合されている。
加圧部材３３４は、ステータ３３１の圧電体３３１ｂ側の端面と、ステータ座３３３との間に設けられ、これらを軸方向に沿って離間させる方向に付勢するバネを備えている。この加圧部材３３４の付勢力によって、ステータ３３１はロータ３３２に押圧される。
ロータホルダ３３５は、ロータ３３２の外径側に設けられた環状の部材であり、フォーカシングレンズ群Ｌの図示しない駆動部に接続されたＳＷＭ３３０の出力部である。また、ロータホルダ３３５は、その外周面に、後述する送風部３７０を駆動するフォーク部３３５ａが設けられている。
【００２８】
送風部３７０は、シリンダ３７１と、ピストン３７２と、吸気口３７３，３７４と、排気口３７５，３７６とを備えている。
図４に示すように、シリンダ３７１は、ロータホルダ３５５の外周面に沿って、ロータホルダ３５５の中心と略同心の円弧状に形成されている。また、シリンダ３７１をその径方向に切って見た場合の横断面は、図３に示すように、ロータホルダ３３５の軸方向に対して平行な長辺を有する矩形となっている。シリンダ３７１は、固定筒２０１に対して相対移動しないように固定されている。
ピストン３７２は、シリンダ３７１の内面形状に合わせて形成された先端部３７２ａと、先端部３７２ａとロータホルダ３３５のフォーク部３３５ａとにわたして設けられ、ロータホルダ３３５の中心と略同心の円弧状に形成されたロッド部３７２ｂとを備えている。このピストン３７２は、シリンダ３７１に対して、ロータホルダ３３５の回転に追従してその周方向に沿って往復するものである。
【００２９】
図４において、図４（ａ）は、シリンダ３７１に対して、ピストン３７２を最も抜き出した状態（紙面に向かって時計回りに回転させた状態）を示す図であり、図４（ｂ）は、シリンダ３７１に対してピストン３７２を最も奥深くまで挿入した状態（紙面に向かって半時計回りに回転させた状態）を示す図である。
【００３０】
吸気口３７３，３７４は、シリンダ３７１の側面に設けられ、それぞれシリンダ３７１内に流入する空気のみを通過させる逆流防止弁を備えた開孔であって、それぞれ一端部を大気開放された図示しない管路に接続されている。吸気口３７３，３７４は、それぞれシリンダ３７１の長手方向（円弧の周方向）に沿った両端部に配置されている。
排気口３７５，３７６は、シリンダ３７１の側面に設けられ、それぞれシリンダ３７１から吐出される空気のみを通過させる逆流防止弁を備えた開孔であって、燃料電池部２５０に接続された管路にそれぞれ接続されている。排気口３７５，３７６は、それぞれ吸気口３７３，３７４に隣接して配置されている。
上述した構成を備えることによって、送風部３７０は、ＳＷＭ３３０の回転時にピストン３７２がシリンダ３７１に対してストロークするダブルアクション式のポンプとして機能し、ＳＷＭ３３０の正転・逆転にかかわらず、燃料電池部２５０に空気を供給することができる。
【００３１】
以上のように、実施例２においても、上述した実施例１と同様の効果を奏することができ、さらに、撮影用光学系の外径側のスペースを有効に活用して、レンズ鏡筒のコンパクト化を図ることができる。
【００３２】
（変形例）
なお、本発明は、上述した実施例によって限定されるものではなく、種々の変形や変更が可能であって、それらも本発明の均等の範囲内である。
（１）空気供給部の構成は、上述した各実施例に限らず、公知の軸流式、遠心式、容積式の圧縮部を有するものであればよい。
（２）各実施例は、燃料電池部が発生した電力を、フォーカシングレンズを駆動するアクチュエータの動力としているが、これに限らず、例えば、ブレ補正装置や、レンズ内絞り駆動部等の動力として用いてもよい。
（３）実施例は、燃料としてメタノールを用いる燃料電池部を備えるものであるが、他の燃料を直接又は公知の改質処理を施して用いるものであってもよい。
【図面の簡単な説明】
【００３３】
【図１】本発明を適用したレンズ鏡筒の実施例１を含むカメラシステムの構成を示すブロック図である。
【図２】図１のカメラシステムのＳＭＭ及び送風機の構成を示す図である。
【図３】本発明を適用したレンズ鏡筒の実施例２におけるＳＷＭ及び送風部の構成を示す断面図である。
【図４】図３の送風部のIV−IV部矢視図である。
【符号の説明】
【００３４】
１    カメラシステム
１００    ボディ
１１０    撮像素子
１２０    カメラＣＰＵ
２００    レンズ鏡筒
２１０    レンズＣＰＵ
２２０    ドライバ部
２３０    超音波モータ（ＳＷＭ）
２３１    ステータ
２３２    ロータ
２３３    出力軸
２４０    燃料貯蔵部
２５０    燃料電池部
２６０    バッテリ部
２７０    送風部
２７１    ファン
２７２    ケーシング
２７３，２７４，２７５，２７６    管路
２８１，２８２，２８３，２８４    逆流防止弁
【図１】
2006098703.tif 000003
【図２】
2006098703.tif 000004
【図３】
2006098703.tif 000005
【図４】
2006098703.tif 000006